(57)【要約】      （修正有）【課題】ＡＶ機器を利用した情報取得に関する汎用性を高める。【解決手段】双方向通信機能を有するリモコン装置の位置決定機構により表示画面上のオブジェクトを指定する。椅子が指定されたオブジェクトとし、そのメタデータがあれば、例えばメーカのホームページのＵＲＬを取得し、リモコン装置に登録されているメールアドレスと上記ＵＲＬとを関連付けて、表示装置に送る。表示装置からネットワークを介してユーザ情報ＤＢサーバにメールアドレスとＵＲＬとが送られ、ユーザ情報ＤＢサーバは該当するメールアドレスを有するクライアント（携帯電話、ＰＣなど）にＵＲＬを電子メールで送る。ユーザが椅子に関してさらに興味があれば、又は、自動的に、提示されたＵＲＬにより詳細情報ＤＢサーバにアクセスし、詳細情報ＤＢサーバは、提示されたＵＲＬに関する詳細情報を問い合わせのあったＰＣ又は携帯電話のメールアドレスに送る。【選択図】図１
2007329650.tif 000002
【特許請求の範囲】
【請求項１】
ネットワークと接続可能な通信部と映像を表示する表示部とを有する表示装置と、該表示装置を操作するリモートコントロール装置（以下、「リモコン装置」）と、を備える表示システムを利用した情報取得システムであって、
前記リモコン装置から前記表示装置の表示部のある位置を指定し、前記ある位置に表示されるオブジェクトに、該オブジェクトに関連し該オブジェクトに関する情報取得方法を記述するメタデータが存在する場合に、該メタデータを、前記リモコン装置に予め登録されている外部端末装置の電子メールアドレスと組み合わせて前記表示装置からネットワークを経由して前記電子メールアドレスで特定される外部端末装置に送信する制御を行うことを特徴とする情報取得システム。
【請求項２】
前記外部端末装置からの前記メタデータに基づく問い合わせを受けて、前記オブジェクトの詳細情報を提供する詳細情報データベースサーバを備えることを特徴とする請求項１に記載の情報取得システム。
【請求項３】
前記リモコン装置にタッチパネル機能を備えたリモコン表示部が設けられており、前記リモコン表示部における位置を選択し決定することで前記表示装置の表示部における位置を指定する位置指定機構を備えており、前記決定処理において決定されたオブジェクトにメタデータがある場合に、該メタデータと前記登録済みの電子メールアドレスとを関連付けして前記表示装置に送る送受信部を有することを特徴とする請求項１又は２に記載の情報取得システム。
【請求項４】
前記位置を選択し決定した際に、該当する前記表示装置の表示部におけるオブジェクトにメタデータがない場合には、前記リモコン装置の表示部に、メタデータがない旨を報知する表示を行うことを特徴とする請求項３に記載の情報取得システム。
【請求項５】
前記位置を選択した際に、該当する前記表示装置の表示部におけるオブジェクトにメタデータがない場合には、前記リモコン装置の表示部に、メタデータがない旨を報知する表示を行うことを特徴とする請求項３に記載の情報取得システム。
【請求項６】
前記表示装置の表示部と前記リモコン装置の表示部との位置変換を行う変換部を前記表示装置側に設けたことを特徴とする請求項１から５までのいずれか１項に記載の情報取得システム。
【請求項７】
前記リモコン装置からの位置指定によってオブジェクトが指定された場合には、その旨を前記表示装置の表示部又は前記リモコン装置の表示部に表示することを特徴とする請求項１から６までのいずれか１項に記載の情報取得システム。
【請求項８】
前記表示装置の表示内容に応じて前記リモコン装置の前記位置指定機構の表示を変更することを特徴とする請求項３に記載の情報取得システム。
【請求項９】
ネットワークと接続可能な通信部と映像を表示する表示部とを有し、リモコン装置により制御可能な表示装置であって、
前記リモコン装置から前記表示部のある位置を指定し、前記ある位置に表示されるオブジェクトに、該オブジェクトに関連し該オブジェクトに関する情報取得方法を記述するメタデータが存在する場合に、該メタデータを、前記リモコン装置に予め登録されている外部端末装置の電子メールアドレスと組み合わせて前記表示装置からネットワークを経由して前記電子メールアドレスで特定される外部端末装置に送信する制御を行うことを特徴とする表示装置。
【請求項１０】
ネットワークと接続可能な通信部と映像を表示する表示部とを有する表示装置を操作するリモコン装置であって、
前記リモコン装置から前記表示装置の表示部のある位置を指定することで、前記ある位置に表示されるオブジェクトに、該オブジェクトに関連し該オブジェクトに関する情報取得方法を記述するメタデータが存在する場合に、該メタデータを、前記リモコン装置に予め登録されている外部端末装置の電子メールアドレスと組み合わせて前記表示装置からネットワークを経由して前記電子メールアドレスで特定される外部端末装置に送信する制御を行わせることを特徴とするリモコン装置。
【発明の詳細な説明】
【技術分野】
【０００１】
本発明は、リモートコントロール装置（以下、「リモコン装置」と称する。）およびそれにより遠隔制御される表示装置及びこれらを利用した情報取得システムに関し、特に、タッチパネル機能を備えた表示部を有するリモコン装置を利用した情報取得技術に関する。
【背景技術】
【０００２】
携帯電話機などの携帯端末装置の技術的な進歩に伴い、携帯端末装置を利用して種々の情報を取得するための技術も多様化してきている。例えば、リアルタイムに受信したテレビジョン番組のＣＭ部分に、コンテンツ配信サーバによって、ユーザの属性に応じた内容を有する新たなＣＭ情報を挿入しておき、このＣＭ情報が挿入されたテレビジョン番組をユーザの携帯端末に送信する方法がある（情報がある場合に、ワンプッシュマークが表示される）。
【０００３】
挿入したＣＭ情報に関連するＣＭ関連情報をテレビジョン番組とは別に、電子メールによってユーザの携帯端末に送信する。ＣＭ関連情報に基づいて特定のサイトにアクセスされたアクセス回数を計数しこの計数値をＣＭスポンサーに提示すれば、ＣＭの宣伝効果を確認することができ、スポンサーとの契約を容易に成立させることができる。このように、各ユーザに適したＣＭ情報を配信することで、ＣＭ情報のスポンサーとの契約を容易に成立させることのできるテレビジョン番組配信システムを実現する技術が提案されている（例えば、特許文献１参照）。
【０００４】
【特許文献１】特開２００３−３３９０４０号公報
【発明の開示】
【発明が解決しようとする課題】
【０００５】
しかしながら、上記の方法では、携帯電話を利用するため、ワンプッシュマーク時の画面（ＣＭ）に出力する制御信号のみしか有効でない点、使用できるのは表示装置の画面がＣＭの時だけである点、携帯電話を利用するため、表示装置等の非制御機器の操作をすることができない点、などの問題がある。
【０００６】
本発明は、情報取得に関する汎用性を高めることを目的とする。
【課題を解決するための手段】
【０００７】
本発明は、リモコンの表示パネル（タッチパネル）により、表示装置の表示パネルの位置（座標）と表示画面或いはコンテンツを決定し、所定の条件において、表示画面或いはコンテンツに係わる情報の詳細を入手する手段を備える。
【０００８】
本発明の一観点によれば、ネットワークと接続可能な通信部と映像を表示する表示部とを有する表示装置と、該表示装置を操作するリモコン装置と、を備える表示システムを利用した情報取得システムであって、前記リモコン装置から前記表示装置の表示部のある位置を指定し、前記ある位置に表示されるオブジェクトに、該オブジェクトに関連し該オブジェクトに関する情報取得方法を記述するメタデータが存在する場合に、該メタデータを、前記リモコン装置に予め登録されている外部端末装置の電子メールアドレスと組み合わせて前記表示装置からネットワークを経由して前記電子メールアドレスで特定される外部端末装置に送信する制御を行うことを特徴とする情報取得システムが提供される。前記外部端末装置からの前記メタデータに基づく問い合わせを受けて、前記オブジェクトの詳細情報を提供する詳細情報データベースサーバを備えることが好ましい。前記リモコン装置にタッチパネル機能を備えたリモコン表示部が設けられており、前記リモコン表示部における位置を選択し決定することで前記表示装置の表示部における位置を指定する位置指定機構を備えており、前記決定処理において決定されたオブジェクトにメタデータがある場合に、該メタデータと前記登録済みの電子メールアドレスとを関連付けして前記表示装置に送る送受信部を有することが好ましい。
【０００９】
前記位置を選択し決定した際に、該当する前記表示装置の表示部におけるオブジェクトにメタデータがない場合には、前記リモコン装置の表示部に、メタデータがない旨を報知する表示を行うこともできる。前記位置を選択した際に、該当する前記表示装置の表示部におけるオブジェクトにメタデータがない場合には、前記リモコン装置の表示部に、メタデータがない旨を報知する表示を行うこともできる。前記表示装置の表示部と前記リモコン装置の表示部との位置変換を行う変換部を前記表示装置側に設けても良い。
【００１０】
前記リモコン装置からの位置指定によってオブジェクトが指定された場合には、その旨を前記表示装置の表示部又は前記リモコン装置の表示部に表示することも可能である。    前記表示装置の表示内容に応じて前記リモコン装置の前記位置指定機構の表示を変更することもできる。
【発明の効果】
【００１１】
本発明によれば、１つのリモコンの表示パネルから、表示装置の操作制御と、コンテンツ（画面）の指定制御と、左記に係わる特定の条件指定の有無と、を判定し、特定の条件指定が有りの場合に、その関連する情報の所在場所を外部端末から入手することができるという利点がある。従って、表示装置の視聴を邪魔されずに、取得したい情報を取得することができる。
【発明を実施するための最良の形態】
【００１２】
以下、本発明の一実施の形態による情報取得システムについて図面を参照しながら説明を行う。図１は、本実施の形態による情報取得システムの一構成例を示す図である。図１に示すように、本実施の形態による情報取得システムＡは、家庭機器システムＢと、インターネット接続機構Ｃと、を有している。インターネット接続機能Ｃには、例えば、ユーザ情報を格納するユーザ情報ＤＢサーバ２１と、種々の項目とそれに関する詳細な情報とを格納する詳細情報データベース（ＤＢ）２３と、ネットワークにアクセス可能な携帯端末装置２５及び／又はパーソナルコンピュータＰＣ２７と、を有している。尚、表示装置における処理は、それに接続される電子機器を含むものとする。携帯端末装置２５及び／又はパーソナルコンピュータＰＣ２７は、ユーザ自身が所持するもので、視聴後に閲覧可能なものでも良い。
【００１３】
家庭機器システムＢは、液晶テレビ受像器などの表示装置１と、この表示装置１と例えばＭＤＭＩＬ１などにより接続されているハードディスクレコーダなどの記録再生装置３と、表示装置１及び／又は記録再生装置３を制御する遠隔操作を行うリモートコントロール装置（リモコン装置）５と、を有している。表示装置１には大画面表示部７が設けられ、映像が表示される。リモコン装置５は、比較的小型の表示部５２を有している。インターネット接続機構Ｃは、インターネット１５を有しており、さらに、放送局１７を有している。最近では、これらは融合された形態となっている場合もある。
【００１４】
例えば、ＭＰＥＧ４或いはＨ２６４では各コンテンツがオブジェクトから構成されているので、連続する一の静止画面（シーン）において、任意のオブジェクトを選択することができるようになっている。ここで言う「オブジェクト」とは、画面上に表示されている様々な文字や物体などのビデオオブジェクト（以下「オブジェクト」）を指し、ユーザは、そのオブジェクトの画像部分を選択することができる。図示しないが、指定されたオブジェクトには、物体などに関連する情報取得先として例えばＵＲＬなどのメタデータが埋め込まれている。
【００１５】
以下に、上記システムにおける各構成要素についてより詳細に説明を行う。図２は、リモコン装置５の詳細な機能を示す図である。図２に示すように、リモコン装置５の表示部５ａには、複数のメールアドレスを登録することができる。メールアドレス登録領域５ｃは、例えばタッチペンや操作ボタンにより入力された文字列により登録しようとするユーザ又はその家族などのメールアドレスを表示する領域である。
【００１６】
ここで入力したメールアドレスは、上記メールアドレスリスト５ｂに例えば登録順に登録される。ここでは、符号５ｅは登録済みのメールアドレスを、符号５ｂは新規登録のメールアドレスを示す。尚、符号５ｄは、メールアドレスリストを表示していることを示すマークである。
【００１７】
図３は、上記リモコン装置５の一構成例を示す機能ブロック図である。図３に示すように、リモコン装置５は、例えば赤外線などの表示装置／記録再生装置への制御信号を送受信する送受信部５１と、表示部５２と、ＲＯＭ５３と、操作部（タッチパネル機構も含む）５４と、メモリ５５と、ＣＰＵ５６と、ＣＰＵ５６に制御処理を行わせるためのプログラムを記録したＲＯＭ５３と、を有している。加えて、本実施の形態によるリモコン装置５には、座標検出部（タッチシート）５７が設けられている。座標検出部（タッチシート）５７の機能については後述する。
【００１８】
図４は、表示装置１の一構成例を示す機能ブロック図である。図４に示す表示装置１は、アンテナ７１と、チューナ７２と、ＤＥＭＵＸ部７３と、ＭＰＥＧデコーダ７４と、ＯＳＤ多重手段と、表示部７と、メモリ７７と、ＣＰＵ７８と、リモコン信号送受信部７９と、ＭＯＤＥＭ８０と、電子メール送受信手段８１と、ＨＤＭＩインターフェイス８２と、を有している。加えて、表示装置１は、受信信号のうちＤＥＭＵＸ処理された信号の中から特定条件を抽出する手段７６を有しており、この手段７６により抽出された特定条件はＣＰＵに伝えられメモリ７７に格納される。
【００１９】
次に、リモコン装置により、表示装置のオブジェクトを指定する場合の指定例について、図５から図７までと、図９とを参照しながら説明を行う。図９は、表示装置１の表示画面７に表示される映像１２１と、表示画面上に示されるオブジェクト指定マーク１３１とを示す図である。
【００２０】
図５に示すリモコン装置５では、表示部５２に表示装置１に表示されている映像のうちのオブジェクトの位置を選択するための位置指定機構として、カーソル９１、９３、９５と、これらが配置された位置から放射線状に中央へのばした線上に配置される決定ボタン９８と、を有している。カーソル９１、９３、９５を用いて、表示画面７内においてオブジェクト指定マーク１３１により任意のオブジェクトを指定し（符号Ｚ）、このＺの位置で決定ボタン９８を押すと、Ｚの位置と関連付けされている、ある特定の条件（データ）を取得し、この条件（データ）をリモコン装置５に送信する。リモコン装置５の送受信部５１において受信されたこの条件（データ）は、例えば、メモリ５５内に格納される。
【００２１】
受信された特定の条件（データ）を、他のクライアント（ＰＣや携帯電話機等）に送信する場合には、登録されているメールアドレスのうちから任意のメールアドレスを呼び出し、このメールアドレスと上記特定の条件（データ）とを、表示装置１に対して送信する。表示装置１のリモートコントロール信号送受信部７９は、このメールアドレスと上記特定の条件（データ）とを受信し、ＭＯＤＥＭ８０を介して、図示しないメールサーバに接続し、メールアドレスにより特定される宛先に特定の条件（データ）を送信する。
【００２２】
これを受けた携帯電話機２５やＰＣ２７は、特定の条件指定があることと、それに関連する情報の所在場所（ＵＲＬなど）を知ることができる。携帯電話機２５やＰＣ２７のユーザは、上記ＵＲＬにアクセスすることで、オブジェクトに関連するより詳細な情報を入手することができる。例えば、図９の男性のスーツがオブジェクトであれば、そのメタデータ、例えばそのスーツの販売店、値段、キャンペーン情報などを入手することができる。尚、リモコン装置からの位置指定によってオブジェクトが指定された場合には、その旨を前記表示装置の表示部又は前記リモコン装置の表示部に表示することも可能である。
【００２３】
【表１】
2007329650.tif 000003
【００２４】
表１は、リモコン装置と表示装置との座標位置、領域（範囲）の関係を示す表であり、図６に示すリモコン装置の構成に関連する表である。表１に示すように、リモコン側において指定した位置は、表示部の大きさが異なる表示装置の表示部の位置と対応するように、面積、サイズの変換を行い表示装置において適切にオブジェクトを指定することができる。尚、リモコン装置により指定した位置は、必ずしも正確でなくても良く、オブジェクトが埋め込まれている位置のうち指定した位置の最近傍のオブジェクトを指定したと見なすようにしても良い。
【００２５】
図６は、図５とは異なる構成の位置指定機構を有するリモコン装置の表示部の構成例を示す図である。図６に示すように、リモコン装置５は、その表示部５２の２次元表面の行方向及び列方向に整列配置された略円形の領域５３・５４を設けている。このように予め決められた大きさの領域の位置指定マークを表示させて、タッチペン等で押圧されたマーク５３・５４に相当する表示装置の座標位置にカーソルなどが表示され、カーソル位置が所望のオブジェクトを指示していれば、リモコン表示部５２の決定ボタン５５を押圧する。これにより、図５の場合と同様に、表示装置のオブジェクトを指定することができる。
【００２６】
図７は、図５、図６に示す位置指定機能と同様の機能を有するリモコン装置の一例を示す図である。図７に示すように、リモコン装置の表示画面５２（タッチパネル機能を有しているのが好ましい）には、画面の上から下に向けて、略円形の領域６１〜６６までが表示されている。下方になるほど、領域は大きくなるように表示され、あたかも不特定の領域が下方に向けて流れてくるようなイメージとなっている。ユーザが表示装置の表示画面と、リモコン装置の表示画面とを見比べながら、所望のオブジェクトの位置と対応する位置に来た領域６１〜６６までのいずれかをタッチする。この際、タッチした領域と対応する表示装置の表示画面にはマーク（ポインタなど）が表示されるようにしておけば、ポインタを参照しながら、所望の領域をタッチして選択状態にした後に決定を押圧してオブジェクトを選択することができる。このような流れに関しては、例えば、動きの激しい表示装置の動画などに対応してオブジェクトを選択しやすいという利点がある。
【００２７】
以上に説明したように、図５から図７までのいずれかに示した仕組みにより、表示装置のオブジェクトを指定することができる。表示装置の表示内容に応じてリモコン装置の位置指定機構の表示を変更することが好ましい。例えば、動画であれば図７のような位置指定に関するユーザインターフェイスが好ましい。
【００２８】
図８は、リモコン装置から位置指定した箇所にはオブジェクトが関連付けされていない場合の表示例を示す図である。図８に示すように、対応する位置にオブジェクトが存在しない場合には、リモコン５の表示部５２に符号１０１と１０３とでオブジェクトが存在しない旨をユーザに報知することができる。尚、かかる報知は、リモコン装置においてオブジェクトを選択した際に表示されるようにしても良いし、選択及び決定後に表示されるようにしても良い。前者であれば、決定前に報知が行われるため、ユーザは無駄な選択を行わなくてすむという利点がある。
【００２９】
図１には、本実施の形態による情報取得システムにおける動作の流れを示している。
【００３０】
１）まず、表示装置１の表示画面７に表示されている番組を視聴しているユーザが、双方向通信機能を有するリモコン装置５の図５〜図７に示すような位置決定機構により表示画面７上のオブジェクトを指定する。
２）オブジェクトがある位置が指定されると、表示装置１からリモコン装置５に対して、オブジェクトが指定された旨を伝える。ユーザは所望のオブジェクトの指定に関して、表示装置１とリモコン装置５との間でコンセンサスがとれたことを知ることができる。さらに、オブジェクトに関連付けられている図１で言えば椅子が指定されたオブジェクトであるとすると、この椅子のメタデータがあれば、そのメタデータ、例えばメーカのホームページのＵＲＬを取得する。
３）ユーザは、リモコン装置５に登録されているメールアドレスと上記オブジェクトに関するＵＲＬとを関連付けして、表示装置１に送る。これにより、表示装置１側において、オブジェクトに関連するＵＲＬを、どの装置に送れば良いかについて認識することができる。
４）上記３）の認識に基づいて、表示装置１からネットワーク１５を介してユーザ情報ＤＢサーバ２１に対してメールアドレスとＵＲＬとが送られる。
５）、５）’上記４）を受けたユーザユーザ情報ＤＢサーバ２１は、ネットワーク１５を介して該当するメールアドレスを有するクライアント（携帯電話２５、ＰＣ２７など）に対して、ＵＲＬを電子メールで送る。
６）例えば、ＰＣ２７を見たＰＣユーザが、椅子に関してさらに興味があれば、又は、自動的に、提示されたＵＲＬを詳細情報ＤＢサーバ２３にアクセスする（７））。
８）、８）’詳細情報ＤＢサーバ２３では、提示されたＵＲＬに関する詳細情報を格納していれば、その詳細情報を問い合わせのあったＰＣ２７又は携帯電話２５のメールアドレスに対して送る。
【００３１】
これにより、ＰＣ２７又は携帯電話２５のユーザは、１）で選択されたオブジェクトに関する詳細情報、例えば、椅子のメーカ、価格、入手先（インターネットショッピングのアドレスや販売店舗の電話番号）、在庫の有無、関連商品などの情報を得ることができる。
【００３２】
このように、本発明の実施の形態によれば、例えば、ＴＶを視聴中に気になるオブジェクトがあった場合に、リモコン装置でマークしておけば、自動的にオブジェクトに関する詳細な情報を取得し、リモコン装置に登録済みのＰＣ又は携帯電話のメールアドレスのうちリモコン装置で指定したメールアドレス宛に情報を送っておく。ＰＣ又は携帯電話は自己のものでも良いし、友人又は家族などに送るものでも良い。このようにすることで、前者では視聴中には簡単な操作で自動的に知りたいオブジェクトに関する詳細な情報を自己のＰＣ又は携帯電話に送っておき後から確認することができるという利点がある。また、後者であれば、遠隔にいる友人などにオブジェクトに関連する情報を例えばＴＶを見ながら簡単な操作で送ることができるという利点がある。
【産業上の利用可能性】
【００３３】
本発明は、情報取得システムに利用可能である。
【図面の簡単な説明】
【００３４】
【図１】本発明の一実施の形態による情報取得システムの一構成例を示す図である。
【図２】リモコン装置５の詳細な機能を示す図である。
【図３】リモコン装置５の一構成例を示す機能ブロック図である。
【図４】表示装置１の一構成例を示す機能ブロック図である。
【図５】リモコン装置の表示部における位置決定機構の一例を示す図である。
【図６】リモコン装置の表示部における位置決定機構の一例を示す図である。
【図７】リモコン装置の表示部における位置決定機構の一例を示す図である。
【図８】リモコン装置から位置指定した箇所にはオブジェクトが関連付けされていない場合の表示例を示す図である。
【図９】表示装置の表示画面に表示される映像と、表示画面上に示されるオブジェクト指定マークとを示す図である。
【符号の説明】
【００３５】
Ａ…情報報取得システム、Ｂ…家庭機器システム、Ｃ…インターネット接続機構、２１…ユーザ情報ＤＢサーバ、２３…詳細情報データベース（ＤＢ）、２５…ネットワークにアクセス可能な携帯端末装置、２７…パーソナルコンピュータＰＣ。
【図１】
2007329650.tif 000004
【図２】
2007329650.tif 000005
【図３】
2007329650.tif 000006
【図４】
2007329650.tif 000007
【図５】
2007329650.tif 000008
【図６】
2007329650.tif 000009
【図７】
2007329650.tif 000010
【図８】
2007329650.tif 000011
【図９】
2007329650.tif 000012